(57)【要約】【課題】  施工が容易で、隙間の生じ難い断熱性建物の構造を提供する。【解決手段】  ポリマー樹脂を水で乳化濁液化したエマルジョンをセメントペースト又はセメントモルタルに混入したポリマーセメント、又は再乳化粉末樹脂をセメントペースト又はセメントモルタルに混入したセメント乳化樹脂材のいずれかの被覆セメント材でもって発泡樹脂製の長尺のブロックの表面を全面被覆してセメント被覆発泡ブロック体とし、そのセメント被覆発泡ブロック体を基礎上に組積して接合材で互いを接着して壁の主たる部分を構築し、その対向する壁と壁の上端間に金属製屋根板を架設し、その金属製屋根板の上面にセメント被覆発泡ブロック体を敷設して屋根を構築する。【選択図】  図２
0003176528.tif 000002
【実用新案登録請求の範囲】
【請求項１】
ポリマー樹脂を水で乳化濁液化したエマルジョンをセメントペースト又はセメントモルタルに混入したポリマーセメント、又は再乳化粉末樹脂をセメントペースト又はセメントモルタルに混入したセメント乳化樹脂材のいずれかの被覆セメント材でもって発泡樹脂製の長尺のブロックの表面を全面被覆してセメント被覆発泡ブロック体とし、そのセメント被覆発泡ブロック体を基礎上に組積して接合材で互いを接着して建物の外周壁の主たる部分を構築し、その対向する壁と壁の上端間に金属製屋根板を架設し、その金属製屋根板の上面にセメント被覆発泡ブロック体を敷設して屋根を構築した、断熱性建物の構造。
【請求項２】
基礎上にセメント被覆発泡ブロック体を敷設して床を構築した、請求項１記載の断熱性建物の構造。
【請求項３】
複数の金属製屋根板を隣設して互いを連結し、その金属製屋根板同士の連結部分を跨ぐようにセメント被覆発泡ブロック体を敷設した、請求項１又は２記載の断熱性建物の構造。
【請求項４】
金属製屋根板の端部を基礎にワイヤーで係留した、請求項１〜３いずれか記載の断熱性建物の構造。
【請求項５】
基礎と金属製屋根板を棒鋼で連結するとともにセメント被覆発泡ブロック体を棒鋼に貫通し、最上段のセメント被覆発泡ブロック体を下向きに付勢する付勢手段を設けた、請求項１〜３いずれか記載の断熱性建物の構造。
【請求項６】
基礎に縦向きの鉄筋を複数立設し、その鉄筋の室外側及び室内側にセメント被覆発泡ブロック体をそれぞれ組積して同ブロック体間に空間を形成し、その空間にコンクリートを打設し、同鉄筋の上端を金属製屋根板と連結した、請求項１〜３いずれか記載の断熱性建物の構造。
【考案の詳細な説明】
【技術分野】
【０００１】
本考案は、高い断熱性と軽量性とを有する建物の構造に関する。
【背景技術】
【０００２】
従来の断熱工法としては、外装材と内装材の間の空間に発泡樹脂を注入する方法（例えば特許文献１参照）、同空間に発泡樹脂板や繊維マットを挿入する方法（例えば特許文献２，３参照）が公知である。ところで、前者の方法は、注入時に発泡樹脂が漏れないように隙間を密閉する必要があり、施工に精度を要していた。後者の方法は、発泡樹脂板や繊維マットと躯体との間に隙間が生じやすく、断熱性が不十分となることがあった。又、断熱材が建物の強度材として計算されておらず、単なる断熱材としてだけの使用であった。又、断熱材は火災・高熱になれば燃焼し、有害なガスを発生させるという問題点があった。更に、発泡ブロックはその樹脂によって日光による劣化が進行し、強度を失うものがあった。
【先行技術文献】
【特許文献】
【０００３】
【特許文献１】特開平１０−３１７５３０号公報
【特許文献２】実開平６−４０１０２号公報
【特許文献３】実開平６−７８４１６号公報
【考案の概要】
【考案が解決しようとする課題】
【０００４】
本考案が解決しようとする課題は、従来のこれらの問題点を解消し、建物が大巾に軽量にでき、施工が容易で、隙間の生じ難い断熱性建物の構造を提供することにある。
【課題を解決するための手段】
【０００５】
かかる課題を解決した本考案の構成は、
１）  ポリマー樹脂を水で乳化濁液化したエマルジョンをセメントペースト又はセメントモルタルに混入したポリマーセメント、又は再乳化粉末樹脂をセメントペースト又はセメントモルタルに混入したセメント乳化樹脂材のいずれかの被覆セメント材でもって発泡樹脂製の長尺のブロックの表面を全面被覆してセメント被覆発泡ブロック体とし、そのセメント被覆発泡ブロック体を基礎上に組積して接合材で互いを接着して建物の外周壁の主たる部分を構築し、その対向する壁と壁の上端間に金属製屋根板を架設し、その金属製屋根板の上面にセメント被覆発泡ブロック体を敷設して屋根を構築した、断熱性建物の構造
２）  基礎上にセメント被覆発泡ブロック体を敷設して床を構築した、前記１）記載の断熱性建物の構造
３）  複数の金属製屋根板を隣設して互いを連結し、その金属製屋根板同士の連結部分を跨ぐようにセメント被覆発泡ブロック体を敷設した、前記１）又は２）記載の断熱性建物の構造
４）  金属製屋根板の端部を基礎にワイヤーで係留した、前記１）〜３）いずれか記載の断熱性建物の構造
５）  基礎と金属製屋根板を棒鋼で連結するとともにセメント被覆発泡ブロック体を棒鋼に貫通し、最上段のセメント被覆発泡ブロック体を下向きに付勢する付勢手段を設けた、前記１）〜３）いずれか記載の断熱性建物の構造
６）  基礎に縦向きの鉄筋を複数立設し、その鉄筋の室外側及び室内側にセメント被覆発泡ブロック体をそれぞれ組積して同ブロック体間に空間を形成し、その空間にコンクリートを打設し、同鉄筋の上端を金属製屋根板と連結した、前記１）〜３）いずれか記載の断熱性建物の構造
にある。
【考案の効果】
【０００６】
本考案の前記１）及び２）記載の構成によれば、セメント被覆発泡ブロック体を並べる乾式の作業で構築されるから、発泡樹脂を注入する湿式の従来技術と比較して施工が容易で高い精度が要求されないものとなる。また、複数のセメント被覆発泡ブロック体同士を組積及び敷設するから、発泡樹脂板や繊維マットを挿入する従来技術と比較して隙間が生じ難い構造となり、高い断熱性を維持できるようになる。又、建物の壁・屋根に発泡ブロックを使用するので、軽量で且つ断熱性が高い建物にできる。更に、発泡ブロックは被覆セメントで数ｍｍ程被覆されるので、発泡ブロックの物との接触による損傷が防げるとともに、火炎・火災による発泡ブロックの燃焼・ガス発生を防止できる。又、発泡ブロックに日光が当るのを防止し、日光による劣化を防ぐ。又、セメント被覆ブロックは上記の耐火性・耐光性を有するので高い圧縮強度を有する建物の強度部材として使用できる。
【０００７】
本考案の前記３）記載の構成によれば、室内外が直線的に連通しない構造となるから、より高い断熱性が発揮されるようになり、雨漏りも防止できるようになる。
【０００８】
本考案の前記４）記載の構成によれば、屋根を基礎に固定したから、屋根の風の負圧による吹き飛びを防止する。又、組積したセメント被覆発泡ブロック体同士が強く密接し、側方からの横風・横からの押圧力に対して強固な構造となる。
【０００９】
本考案の前記５）記載の構成によれば、屋根の風の負圧による吹き飛びを防止する。又、付勢手段によってセメント被覆発泡ブロック体を下向きに常時付勢するから、組積したセメント被覆発泡ブロック体同士が長期間強く密接し、側方からの横風・横からの荷重に対してより強固な構造となる。
【００１０】
本考案の前記６）記載の構成によれば、２列に組積したセメント被覆発泡ブロック体間の空間にコンクリートを打設したから、そのコンクリート層によって組積したセメント被覆発泡ブロック体が支持され、側方からの横風・横荷重に対してさらに強固な構造となる。
【図面の簡単な説明】
【００１１】
【図１】実施例１のセメント被覆発泡ブロック体の説明図である。
【図２】実施例１の断熱性建物の斜視図である。
【図３】実施例１の断熱性建物の平面図である。
【図４】実施例１の断熱性建物の断面図である。
【図５】図４のＡ−Ａ線断面図である。
【図６】実施例２の壁の拡大断面図である。
【図７】実施例３の壁の拡大断面図である。
【図８】実施例３の断熱性建物の水平断面図である。
【図９】実施例３の側面内壁の説明図である。
【図１０】実施例３の屋根と壁の連結部分の拡大断面図である。
【考案を実施するための形態】
【００１２】
本考案の被覆セメント材がポリマーセメントの場合では、エマルジョンのポリマー樹脂として、スチレンブタジエンゴム系・アクリル系・エチレン酢酸ビニル系等のいずれか又はそれらを混合したものが用いられ、セメント１００重量部に対して５〜５０重量部を配合するのが望ましい。５重量部以下であると、固化後の初期接着力が弱くなって剥がれやすくなり、５０重量部以上であると、粘性が増加して作業性が悪化し、強度発現が遅れ、耐火性も低下する。
【００１３】
水は、セメントペーストやセメントモルタルに含まれる水とエマルジョンに含まれる水があり、それらの合計でセメント１００重量部に対して３０〜１００重量部の範囲とするのが実用的である。被覆セメント材がセメント乳化樹脂材の場合では、再乳化粉末樹脂として、アクリル系・酢酸ビニルバーサテート等が用いられる。セメントモルタルの砂は、セメント１００重量部に対して２００重量部以下とし、それを超えると流動性が無くなって作業性が悪化する。被覆の厚みは数ｍｍ程である。混和剤としては、増粘剤や流動化剤等が必要に応じて添加される。接合材としては、セメントペースト・セメントモルタル等があり、セメント被覆発泡ブロック体との接着性に優れるものが選ばれる。
【００１４】
発泡樹脂製ブロックとしては、発泡ポリスチレン樹脂・発泡ウレタン樹脂・発泡フェノール樹脂等があり、加工性やコスト等に応じて選ばれる。金属製屋根板としては、鉄・アルミニウム合金等があり、軽量で防錆性に優れるものが望ましい。付勢手段としては、板バネ・コイルバネ・スプリングワッシャー等があり、求める付勢力やセメント被覆発泡ブロック体の寸法等に応じて選ばれる。
【００１５】
屋根の形状としては、アーチ屋根・切り妻・片流れ・陸屋根等があり、求める強度や意匠性等に応じて選ばれる。構築後のセメント被覆発泡ブロック体の表面には、セメントペーストやセメントモルタル等を塗工したり、木板・セラミック板・金属板・プラスチック板等を施工し、表面の保護や内外装の美観向上を図っても良い。以下、本考案の各実施例を図面に基づいて具体的に説明する。
【実施例】
【００１６】
（実施例１）図１〜５に示す実施例１は、被覆セメント材としてポリマーセメントを用い、屋根・壁・床をセメント被覆発泡ブロック体で構築し、屋根を基礎に係留した断熱性建物の例である。
【００１７】
被覆セメント材Ａは、１００重量部のセメントペーストに５〜５０重量部のアーマ＃２００（製品名：スチレンブタジエンゴムを主成分とするエマルジョン）を混練する。この被覆セメント材Ａを入れた貯槽（図示は省略）に発泡ポリスチレン樹脂製のブロックＢを浸漬して表面を３ｍｍ程の厚みで全面被覆し、屋根用セメント被覆発泡ブロック体２・壁用セメント被覆発泡ブロック体３・床用セメント被覆発泡ブロック体４を作製する。
【００１８】
金属製屋根板１は、アルミニウム合金からなり、図１（ａ）に示すように、長さ５〜６ｍ、幅１．６〜２．０ｍのアーチ状にプレス成形されている。前後端にはボルト穴１ｂを有するフランジ１ａを形成し、上面には屋根用セメント被覆発泡ブロック体２に食い込ませるためのリブ１ｃを突設し、左右端の下部には壁用セメント被覆発泡ブロック体３の上端に嵌合するための嵌合部１ｄを形成している。
【００１９】
屋根用セメント被覆発泡ブロック体２は、長さ５〜６ｍ、幅１．６〜１．８ｍで、金属製屋根板１に合せた形状のアーチ状で、金属製屋根板１のフランジ１ａを収納するフランジ収納凹所２ａを下面に形成している。壁用セメント被覆発泡ブロック体３は、図１（ｂ）に示すように、長さ２．７ｍ、高さ７０ｃｍ、厚さ４０ｃｍの直方体である。床用セメント被覆発泡ブロック体４は、壁用セメント被覆発泡ブロック体３と同じ寸法である。
【００２０】
まず、基礎５を構築し、その壁際となる位置に壁用セメント被覆発泡ブロック体３を組積する。その組積の際、セメントモルタルからなる接合材を壁用セメント被覆発泡ブロック体３の対向面に塗布して互いを接着する。金属製屋根板１のアーチや扉６や窓７の箇所は、予め工場でその形状に作製して被覆セメント材Ａを塗布したものを現場に搬入する。
【００２１】
次に、対向する最上段の壁用セメント被覆発泡ブロック体３の上端間に金属製屋根板１を並べて嵌合部１ｄを嵌合し、その隣接する金属製屋根板１同士をフランジ１ａに連通したボルト穴１ｂにボルト１ｅを通して連結する。その金属製屋根板１同士の連結部分を跨ぐように屋根用セメント被覆発泡ブロック体２を重合し、そのフランジ収納凹所２ａにフランジ１ａを収納するとともに、リブ１ｃを食い込ませて圧着する。その際、接合材を屋根用セメント被覆発泡ブロック体２の対向面に塗布して互いを接着する。
【００２２】
そして、基礎５の上に複数の床用セメント被覆発泡ブロック体４を敷設する。その際、壁や屋根と同様に床用セメント被覆発泡ブロック体４の対向面に接合材を塗布して互いを接着する。その後、金属製屋根板１の端部を基礎コンクリート５にワイヤー８で係留し、壁の開口に扉６と窓７を取り付け、壁と屋根の外面に石灰を吹付け塗布する。
【００２３】
（実施例２）図６に示す実施例２は、基礎と金属製屋根板を棒鋼で連結するとともにセメント被覆発泡ブロック体を棒鋼に貫通し、最上段のセメント被覆発泡ブロック体を下向きに付勢する付勢手段を設けた断熱性建物の例である。
【００２４】
実施例２では、壁際となる位置に上端がネジ切られた複数本の棒鋼９を一定間隔に配設して基礎５を構築し、その棒鋼９に壁用セメント被覆発泡ブロック体３を貫通して組積する。その被覆発泡ブロック体３の貫通箇所は、予め工場で棒鋼９の外径よりやや大径に貫通孔を形成して内部まで被覆セメント材Ａを塗布したものを現場に搬入する。そして、棒鋼９の上端に当て板９ａを介して圧縮バネ９ｂを配置し、その上に金属製屋根板１を並べて架設し、ナット９ｃで圧縮バネ９ｂを圧縮した状態にして締結する。貫通孔の隙間には必要に応じてセメントモルタルを充填しても良い。屋根用セメント被覆発泡ブロック体２は実施例１と同じ方法で取り付ける。
【００２５】
したがって、圧縮バネ９ｂはその復元力で壁用セメント被覆発泡ブロック体３を下向きに常時付勢し、組積した壁用セメント被覆発泡ブロック体３同士が長期間強く密接し、側方からの横風に対してより強固な構造となる。また、その復元力でナット９ｃの緩みも防止される。その他、符号、構成、作用効果は実施例１と同じである。
【００２６】
（実施例３）図７〜１０に示す実施例３は、基礎に縦向きの鉄筋を配筋し、その鉄筋の室外側及び室内側にセメント被覆発泡ブロック体をそれぞれ組積して同ブロック体間に空間を形成し、その空間にコンクリートを打設した断熱性建物の例である。
【００２７】
実施例３では、鉄筋１０に雌ボルト１０ａとナット１０ｂを溶接し、これを壁際となる位置に一定間隔おいて配筋して基礎５を構築し、その鉄筋１０の室内側及び室外側の位置に壁用セメント被覆発泡ブロック体３を組積して幅１５ｃｍ程の空間を形成する。その壁用セメント被覆発泡ブロック体３とナット１０ｂが干渉する位置は、予め工場で加工して被覆セメント材Ａを塗布したものを現場に搬入する。その壁用セメント被覆発泡ブロック体３間の空間にコンクリート１０ｃを打設する。
【００２８】
雌ボルト１０ａには連結ボルト１０ｄを螺合し、その連結ボルト１０ｄに雨樋１０ｅとゴムパッキン１０ｆを介して金属製屋根板１を並べて架設し、さらにゴムパッキン１０ｆを介して二重のナット１０ｇで締結する。屋根用セメント被覆発泡ブロック体２は実施例１と同じ方法で取り付ける。室内側の被覆発泡ブロック体３の表面に露出したナット１０ｂには内装材（図示は省略）を必要に応じて取り付ける。床用セメント被覆発泡ブロック体４の施工は省略しているが、必要に応じて施工しても良い。
【００２９】
したがって、コンクリート１０ｃの層によって組積した壁用セメント被覆発泡ブロック体３が支持され、側方からの横風に対してさらに強固な構造となる。その他、符号、構成、作用効果は実施例１，２と同じである。
【産業上の利用可能性】
【００３０】
本考案の技術は、高い断熱性が求められる様々な用途に幅広く利用できる。
【符号の説明】
【００３１】
１      金属製屋根板
１ａ    フランジ
１ｂ    ボルト
１ｃ    リブ
１ｄ    嵌合部
１ｅ    ボルト
２      屋根用セメント被覆発泡ブロック体
２ａ    フランジ収納凹所
３      壁用セメント被覆発泡ブロック体
４      床用セメント被覆発泡ブロック体
５      基礎
６      扉
７      窓
８      ワイヤー
９      棒鋼
９ａ    当て板
９ｂ    圧縮バネ（付勢手段）
９ｃ    ナット
１０    鉄筋
１０ａ  雌ボルト
１０ｂ  ナット
１０ｃ  コンクリート
１０ｄ  連結ボルト
１０ｅ  雨樋
１０ｆ  ゴムパッキン
１０ｇ  ナット
Ａ      被覆セメント材
Ｂ      ブロック
【図１】
0003176528.tif 000003
【図２】
0003176528.tif 000004
【図３】
0003176528.tif 000005
【図４】
0003176528.tif 000006
【図５】
0003176528.tif 000007
【図６】
0003176528.tif 000008
【図７】
0003176528.tif 000009
【図８】
0003176528.tif 000010
【図９】
0003176528.tif 000011
【図１０】
0003176528.tif 000012